(57)【要約】      （修正有）【課題】照明器具全体の高さを低く抑えると共に照射角を広くし、広範囲に照らすことができる着脱式薄型ＬＥＤ照明器具を提供する。【解決手段】ＬＥＤ発光体を配置した円盤状の電子基板Ｅと、その外周部にＬＥＤ発光体２を配置した別の電子基板３を、傾斜をつけてとりつけることでより広範囲を照らすことができ、本体部分のカップ型の取り付けつまみの内側底に凸型のネジ付口金のオスＡを取り付け、突起状のネジ付口金のメスに取り付けつまみを覆い被せ、取り付けつまみの底部で口金を結合させることで、照明器具全体の高さを低くし薄型構造とする。【選択図】図３
0003146641.tif 000002
【実用新案登録請求の範囲】
【請求項１】
照明器具全体の高さを低くする必要がある場所への設置を目的とした着脱式薄型ＬＥＤ照明器具
【請求項２】
ＬＥＤ発光部に傾斜をつけることで照射範囲を広くすることを目的とした請求項１に記載の着脱式薄型ＬＥＤ照明器具
【請求項３】
請求項１を実現するため、カップ型のつまみの底にネジ付口金オスをとりつけた「底下げ式ネジ付口金取付けつまみ」
【考案の詳細な説明】
【技術分野】
【０００１】  この考案はＬＥＤ照明器具に関する。
【背景技術】
【０００２】  低消費電力、長寿命などの特性を有するＬＥＤ（発光ダイオード）は、近年、その高輝度化によって照明器具の光源としての期待が高まってきており、この期待に応えるべく様々な技術が開発されている。従来の照明等に用いる電球タイプのＬＥＤランプの形状は、図６に示すように、口金部分より鉛直方向に発光部が設けられたものであり、また発光面も鉛直方向に向いているものである。
【実用新案文献１】
特開２００５−１６６５７８
【考案の開示】
【考案が解決しようとする課題】
【０００３】  しかしながら、以上の技術によれば、電球タイプのＬＥＤランプを天井等に取り付けた場合、鉛直方向への高さが高くなり、照明器具全体の高さを低くする必要がある場所（天井が低い廊下や部屋及びダウンライト等照明器具の埋め込みができない天井・壁）への設置には不向きである。【０００４】また、発光面が鉛直方向に向いていることから照射角が狭く、照らす範囲が制限されているため、広範囲に照らす必要がある場所には不向きである。
そこで、この考案は、照明器具全体の高さを低く抑えると共に照射角を広くし、広範囲に照らすことを課題とする。
【課題を解決するための手段】
【０００５】  以上の課題を解決するために、第１考案は、照明器具全体の高さを低くする必要がある場所への設置を目的とした着脱式薄型ＬＥＤ照明器具。【０００６】第２考案は、ＬＥＤ発光部に傾斜をつけることで照射範囲を広くすることを目的とした上記記載の着脱式薄型ＬＥＤ照明器具。【０００７】第３考案は上記を実現するために、カップ型のつまみの底にネジ付口金オスをとりつけた「底下げ式ネジ付口金取付けつまみ」である。
【考案の効果】
【０００８】  本考案の着脱式薄型ＬＥＤ照明器具により、照明器具全体の高さを低くする必要がある場所（天井が低い廊下や部屋及びダウンライト等照明器具の埋め込みができない天井・壁）に取り付けることができ、広範囲に照らすことができるため、【０００９】電球型ＬＥＤランプ同様に電球形蛍光灯ランプに較べて、さらに長寿命、低消費電力であって、蛍光管のように水銀を使用していないので、環境対策を含めた次世代の照明用光源となり得る。
【考案を実施するための最良の形態】
【００１０】  この考案は、本体部分の内側に口金部分を取り付けること、ＬＥＤ発光体に傾斜をつけることで、薄型でかつ広範囲を照らすことができるようにした。
【実施例】
【００１１】  本考案の一実施形態を、図１より図５に示す。
図１は本考案の全体を示す斜視図であり、本体部（１）をネジ付口金メス（６）に取り付ける様子を示している。【００１２】  図２は本考案の側面図であり、図３は本考案の側面断面図である。
図３中のカップ型の取り付けつまみ部（４）の底部にネジ付口金オス（Ａ）を取り付けており、図２における取り付け後の高さ（８）がネジ付口金メス（６）のそれと変わらない高さにできる。【００１３】  図３のネジ付口金オス（Ａ）より電源供給コネクタ（Ｋ）を通じて電子回路（Ｃ）へ電源（ＡＣ１００Ｖ）を供給する。【００１４】  図２の本体外周傾斜部（３）は水平方向より上向きに傾斜をつけており、本体外周傾斜部（３）に配置したＬＥＤ発光体（２）の照射範囲を水平方向に向けることが可能であり、全体の照射角Ａ（９）を、図６に示す従来品の照射角Ｂ（Ｊ）よりも広範囲にすることを可能とした。【００１５】  図４は本考案の正面図であり、図中の本体部（１）水平面に配置したＬＥＤ発光体（２）と本体外周傾斜部（３）に配置したＬＥＤ発光体（２）により、正面全体に照射可能としている。
「実施形態の効果」【００１６】  図４は本考案の正面図である。図中の本体部（１）に表面透明カバー（５）を取り付けることで、ＬＥＤのグレアを軽減させると共に、ＬＥＤ発光体（２）の汚れ付着を防止、金属片混入等によるショートを防止する。【００１７】  図５は本考案の裏面図である。図中の本体部（１）の中心面を金属性の放熱板（Ｂ）を取り付けることにより、発熱を抑えると共に、本体部（１）全体の強度を補強する。【００１８】  図３における水抜き穴（Ｆ）を空けることで、何かしらの理由で取り付けつまみ部分（４）に水などが浸入しても、水抜き穴（Ｆ）より排水されるので漏電等を防止する。【００１９】  図３における高さ調整ネジ（Ｉ）を設けることで、図２における高さ（８）を調整できる。【００２０】  図３における電子回路（Ｃ）に人感センサーユニットを組み合わせることで、自動に点灯・消灯ができる。
「他の実施形態」【００２１】  図１における取り付けつまみ部（４）を本体部（１）より分離させ、本体部（１）の落下を防止する押さえ器具および電源供給器具としての利用を可能とする。
その場合、図３における電源供給コネクタ（Ｋ）を本体部（１）にメス、取り付けつまみ部（４）にオスをそれぞれ取り付け、使用時に接続することで電源（ＡＣ１００Ｖ）を供給できる。【００２２】  図１におけるネジ付口金メス（６）に変わり、引掛けシーリングのメスに対しても、図３におけるネジ付口金オス（Ａ）に口金変換器具を用いることで同様の利用を可能とする。
【産業上の利用可能性】
【００２３】上述のように本考案の着脱式薄型ＬＥＤ照明器具は、１００Ｖの商用電源が使用できるため一般照明用として広く利用でき、かつインテリア照明、施設照明としても応用可能である。
【図面の簡単な説明】
【００２４】
【図１】この考案の一実施形態を示す斜視図である。
【図２】この考案の一実施形態を示す側面図である。
【図３】この考案の一実施形態を示す側断面図である。
【図４】この考案の一実施形態を示す正面図である。
【図５】この考案の一実施形態を示す裏面図である。
【図６】従来技術の一実施形態を示す側面図である。
【符号の説明】
【００２５】  １  本考案本体        ２  ＬＥＤ発光体        ３  本体外周傾斜部
４  取付けつまみ部分  ５  表面透明カバー      ６  ネジ付きの口金メス
７  天井・壁など      ８  高さ                ９  照射角Ａ
Ａ  ネジ付きの口金オス      Ｂ  放熱板        Ｃ  電子回路
Ｄ  本体外周部        Ｅ  電子基板            Ｆ  水抜き穴
Ｇ  電球型ＬＥＤランプ本体部        Ｈ  電球型ＬＥＤランプ表面カバー
Ｉ  高さ調整ネジ      Ｊ  照射角Ｂ  Ｋ  電源供給コネクタ
【図１】
0003146641.tif 000003
【図２】
0003146641.tif 000004
【図３】
0003146641.tif 000005
【図４】
0003146641.tif 000006
【図５】
0003146641.tif 000007
【図６】
0003146641.tif 000008
【手続補正書】
【提出日】平成20年8月27日(2008.8.27)
【手続補正１】
【補正対象書類名】実用新案登録請求の範囲
【補正対象項目名】全文
【補正方法】変更
【補正の内容】
【実用新案登録請求の範囲】
【請求項１】
電子基板にＬＥＤ発光体を配置した薄型の発光面と、ネジ付口金を取り付けた底下げ式のネジ付口金部を組み合わせた、着脱可能で薄型の構造をもつ着脱式薄型ＬＥＤ照明器具
【請求項２】
ＬＥＤ発光体を配置した電子基板の発光面を、鉛直方向と水平方向に傾斜をつけて取り付けたものとを組み合わせとした、請求項１に記載の着脱式薄型ＬＥＤ照明器具
【請求項３】
カップ型のつまみ内底部にネジ付口金を取り付け、ＬＥＤ発光体を配置した電子基板に組み合わせ、底下げ式ネジ付口金部とした請求項１に記載の着脱式薄型ＬＥＤ照明器具
【手続補正２】
【補正対象書類名】明細書
【補正対象項目名】全文
【補正方法】変更
【補正の内容】
【考案の詳細な説明】
【技術分野】
【０００１】  この考案はＬＥＤ照明器具に関する。
【背景技術】
【０００２】  低消費電力、長寿命などの特性を有するＬＥＤ（発光ダイオード）は、近年、その高輝度化によって照明器具の光源としての期待が高まってきており、この期待に応えるべく様々な技術が開発されている。
従来の照明等に用いる電球タイプのＬＥＤランプの形状は、図６に示すように、口金部分より鉛直方向に発光部が設けられたものであり、また発光面も鉛直方向に向いているものである。
【特許文献１】特開２００５−１６６５７８
【考案の開示】
【考案が解決しようとする課題】
【０００３】  しかしながら、以上の技術によれば、電球タイプのＬＥＤランプを天井等に取り付けた場合、鉛直方向への高さが高くなり、照明器具全体の高さを低くする必要がある場所（天井が低い廊下や部屋、及びダウンライト等照明器具の埋め込みができない構造の天井・壁など）への設置には不向きである。【０００４】また、発光面が主に鉛直方向に向いており、天井等からの高さがあることから照射角が狭くなり照らす範囲が制限されることから、広範囲な明るさを必要とする場所には不向きである。
そこで、この考案は、照明器具全体の高さを低く抑えると共に照射角を広くし、広範囲に照らすことを課題とする。
【課題を解決するための手段】
【０００５】  以上の課題を解決するために、第１考案は、照明器具全体の高さを低くするため、電子基板にＬＥＤ発光体を配置した薄型の発光面と、ネジ付口金を取り付けた底下げ式のネジ付口金部を組み合わせた、着脱可能で薄型の構造をもつ着脱式薄型ＬＥＤ照明器具。【０００６】第２考案は、広範囲に照らすため、ＬＥＤ発光体を配置した電子基板の発光面を、鉛直方向と水平方向に傾斜をつけて取り付けたものとを組み合わせとした、上記記載の着脱式薄型ＬＥＤ照明器具。【０００７】第３考案は、より薄型の構造と着脱を実現するため、カップ型のつまみ内底部にネジ付口金を取り付け、ＬＥＤ発光体を配置した電子基板に組み合わせ、底下げ式ネジ付口金部とした請求項１に記載の着脱式薄型ＬＥＤ照明器具。
【考案の効果】
【０００８】  本考案の着脱式薄型ＬＥＤ照明器具により、照明器具全体の高さを低くする必要がある場所（天井が低い廊下や部屋及びダウンライト等照明器具の埋め込みができない天井・壁）に取り付けることができ、広範囲に照らすことができるため、電球型ＬＥＤランプが適さない場所への取付けが可能となる。【０００９】また、電球型ＬＥＤランプ同様に電球形蛍光灯ランプに較べて、さらに長寿命、低消費電力であって、蛍光管のように水銀を使用していないので、環境対策を含めた次世代の照明用光源となり得る。
【考案を実施するための最良の形態】
【００１０】  この考案は、ＬＥＤ発光体を配置した円盤状の電子基板と、その外周部にＬＥＤ発光体を配置した別の電子基板を、傾斜をつけてとりつけることでより広範囲を照らすことができ、本体部分のカップ型の取り付けつまみの内側底に凸型のネジ付口金のオスを取り付け、突起状のネジ付口金のメスに取り付けつまみを覆い被せ、取り付けつまみの底部で口金を結合させることで、照明器具全体の高さを低くし薄型構造を可能としている。
【実施例】
【００１１】  本考案の一実施形態を、図１より図５に示す。
図１は本考案の全体を示す斜視図であり、本体部（１）をネジ付口金メス（６）に取り付ける様子を示している。【００１２】  図２は本考案の側面図であり、図３は本考案の側面断面図である。
図３中のカップ型の取り付けつまみ部（４）の底部にネジ付口金オス（Ａ）を取り付けており、図２における取り付け後の高さ（８）がネジ付口金メス（６）のそれとさほど変わらない高さにできる。【００１３】  図３のネジ付口金オス（Ａ）より電源供給コネクタ（Ｋ）を通じて電子回路（Ｃ）へ電源（ＡＣ１００Ｖ）を供給する。【００１４】  図２の本体外周傾斜部（３）は水平方向より上向きに傾斜をつけており、本体外周傾斜部（３）に配置したＬＥＤ発光体（２）の照射範囲を水平方向に向けることが可能であり、全体の照射角Ａ（９）を、図６に示す従来品の照射角Ｂ（Ｊ）よりも広範囲にすることを可能とした。【００１５】  図４は本考案の正面図であり、図中の本体部（１）水平面に配置したＬＥＤ発光体（２）と本体外周傾斜部（３）に配置したＬＥＤ発光体（２）により、正面全体に照射可能としている。
「実施形態の効果」【００１６】  図４は本考案の正面図である。図中の本体部（１）に表面透明カバー（５）を取り付けることで、ＬＥＤのグレアを軽減させると共に、ＬＥＤ発光体（２）の汚れ付着を防止、金属片混入等によるショートを防止する。【００１７】  図５は本考案の裏面図である。図中の本体部（１）の中心面を金属性の放熱板（Ｂ）を取り付けることにより、発熱を抑えると共に、本体部（１）全体の強度を補強する。【００１８】  図３における水抜き穴（Ｆ）を空けることで、何かしらの理由で取り付けつまみ部分（４）に水などが浸入しても、水抜き穴（Ｆ）より排水されるので漏電等を防止する。【００１９】  図３における高さ調整ネジ（Ｉ）を設けることで、図２における高さ（８）を調整できる。【００２０】  図３における電子回路（Ｃ）に人感センサーユニットを組み合わせることで、自動に点灯・消灯ができる。
「他の実施形態」【００２１】  図１における取り付けつまみ部（４）を本体部（１）より分離させ、本体部（１）の落下を防止する押さえ器具および電源供給器具としての利用を可能とする。
その場合、図３における電源供給コネクタ（Ｋ）を本体部（１）にメス、取り付けつまみ部（４）にオスをそれぞれ取り付け、使用時に接続することで電源（ＡＣ１００Ｖ）を供給できる。【００２２】  図１におけるネジ付口金メス（６）に変わり、引掛けシーリングのメスに対しても、図３におけるネジ付口金オス（Ａ）に口金変換器具を用いることで同様の利用を可能とする。
【産業上の利用可能性】
【００２３】上述のように本考案の着脱式薄型ＬＥＤ照明器具は、１００Ｖの商用電源が使用できるため一般照明用として広く利用でき、かつインテリア照明、施設照明としても応用可能である。
【図面の簡単な説明】
【００２４】
【図１】この考案の一実施形態を示す斜視図である。
【図２】この考案の一実施形態を示す側面図である。
【図３】この考案の一実施形態を示す側断面図である。
【図４】この考案の一実施形態を示す正面図である。
【図５】この考案の一実施形態を示す裏面図である。
【図６】従来技術の一実施形態を示す側面図である。
【符号の説明】
【００２５】１  本考案本体      ２  ＬＥＤ発光体      ３  本体外周傾斜部
４  カップ型取り付けつまみ部      ５  表面透明カバー
６  ネジ付きの口金メス      ７  天井・壁など      ８  高さ
９  照射角Ａ      Ａ  ネジ付きの口金オス      Ｂ  放熱板
Ｃ  電子回路      Ｄ  本体外周部      Ｅ  電子基板      Ｆ  水抜き穴
Ｇ  電球型ＬＥＤランプ本体部      Ｈ  電球型ＬＥＤランプ表面カバー
Ｉ  高さ調整ネジ      Ｊ  照射角Ｂ      Ｋ  電源供給コネクタ
【手続補正３】
【補正対象書類名】図面
【補正対象項目名】全図
【補正方法】変更
【補正の内容】
【図１】
0003146641.tif 000009
【図２】
0003146641.tif 000010
【図３】
0003146641.tif 000011
【図４】
0003146641.tif 000012
【図５】
0003146641.tif 000013